(57)【特許請求の範囲】
【請求項１】
電線を接続するための速結端子と、該速結端子の電線の接続を解除するための解除レバーを備えた回路遮断器において、前記解除レバーに、該解除レバーに差し込まれる差込穴を有する取付部と、該取付部に一体に形成されたツマミ部とで成る補助部材を取り付けて操作可能にし、前記解除レバーの側面に凹溝を形成し、該凹溝に対向して前記補助部材の差込穴に凸条を形成すると共に、前記補助部材の前面に前記差込穴の位置を表示する位置合わせマークを設け、さらに、前記補助部材を前記回路遮断器を取り付けるための取付パネルに保持できるようにしたことを特徴とする回路遮断器。
【発明の詳細な説明】
【技術分野】
【０００１】
本発明は、速結端子に接続された電線を解除するための解除レバーを備えた回路遮断器に関する。
【背景技術】
【０００２】
従来から回路遮断器の負荷側端子に電線を差し込むだけで接続できる速結端子が用いられている。速結端子は速結ばねと端子板を備えて成り、遮断器ケースの電線接続孔に被覆を剥いだ電線を差し込むことで、速結ばねは電線の差込方向に傾倒した板状の鎖錠片が電線に食い込んで電線を抜け止めするとともに、Ｓ字状の押圧片が端子板に電線を押圧して電気的に接続する構造になっている。こうして速結端子は電線接続孔に電線を差し込むだけで簡単に接続ができる。また、接続された電線を解除する場合は回路遮断器の解除レバーを操作して鎖錠ばねの係合を解除することで電線を引き抜くことができる。解除レバーは遮断器ケースの上面端部にケース上面に対して水平状態に突出して軸支され、解除レバーを指で持ち上げて上方に回動操作することで解除レバーに連動した引き外し板が速結ばねの鎖錠片を押し下げ、電線への鎖錠片の係合を解除して電線接続孔から電線を引き抜けるようになっている。そして、本出願人は薄型化のために複数の速結端子が上下１列に設けられた回路遮断器において１つの解除レバーで複数の速結端子の係合を解除できるようにしたものを提案している（例えば、特許文献１参照。）。
【先行技術文献】
【特許文献】
【０００３】
【特許文献１】特開２００７−１４９５８４号公報（図１、図２）
【発明の概要】
【発明が解決しようとする課題】
【０００４】
このように１つの解除レバーで複数の速結端子の係合を１度に解除する構造は複数の鎖錠ばねの鎖錠片を同時に押し下げて変位させなければならないので解除レバーの操作に力が必要となる。しかしながら、回路遮断器は遮断器ケースを薄型に形成している上に、電線接続時に正面となる操作ハンドルを有する遮断器ケースの上面方向から電線接続孔が見えるように解除レバーの幅寸法を小さく形成しているため、解除レバーを操作時に指への負担が大きく、操作性があまり良くなかった。
【課題を解決するための手段】
【０００５】
請求項１に記載の発明によれば、電線を接続するための速結端子と、該速結端子の電線の接続を解除するための解除レバーを備えた回路遮断器において、解除レバーに、解除レバーに差し込まれる差込穴を有する取付部と、取付部に一体に形成されたツマミ部とで成る補助部材を取り付けて操作可能にし、解除レバーの側面に凹溝を形成し、凹溝に対向して補助部材の差込穴に凸条を形成すると共に、補助部材の前面に差込穴の位置を表示する位置合わせマークを設け、さらに、補助部材を回路遮断器を取り付けるための取付パネルに保持できるようにしたことを特徴とする。
【発明の効果】
【０００６】
請求項１に記載の発明によれば、簡単な構造で安価に形成することができ、解除レバーを小さな力で操作することができるという効果があると共に、解除レバーの下面が円弧状にカーブして形成されていたり、解除レバーの上面に対して鋭角をなすように形成されている場合でも補助部材が解除レバーに確実に係合して補助部材の操作時に解除方向に力を加えても補助部材が解除レバーから外れ、さらに差込穴の位置がわかるので解除レバーへ補助部材を容易に取り付けることができるという効果がある。
【図面の簡単な説明】
【０００７】
【図１】本発明に係る回路遮断器を示す斜視図である。
【図２】本発明に係る回路遮断器を収納した分電盤を示し、前面カバーを取り外した状態の正面図である。
【図３】補助部材を示す斜視図である。
【図４】補助部材を示し、（ａ）は正面図、（ｂ）は平面図、（ｃ）は左側面図である。
【図５】図４のＡ−Ａ線断面図である。
【図６】補助部材の使用方法を示し、（ａ）は解除レバーに補助部材を取り付ける様子の斜視図、（ｂ）は補助部材で解除レバーを操作する様子を示す斜視図である。
【図７】解除レバーに補助部材の取り付けた状態を示す断面図である。
【図８】補助部材を取付パネルに取り付けた状態を示す取付パネルの断面図である。
【図９】補助部材を取付パネルに取り付けた状態を示す分電盤の正面図である。
【発明を実施するための形態】
【０００８】
回路遮断器は速結端子に接続された電線を解除するための解除レバーに補助部材を取り付けて操作可能にする。補助部材は解除レバーに差し込まれる差込穴を有する取付部と、取付部に一体に形成されたツマミ部と、使用しないときに分電盤の取付パネルに保持するための係止部とで構成する。また、解除レバーの側面には凹溝を形成し、補助部材の差込穴には凸条を形成して補助部材を使用して解除レバーを操作する際に外れないようにする。また、補助部材には解除レバーに容易に取り付けできるように差込穴の位置を表示する位置合わせマークを設ける。
【実施例１】
【０００９】
本発明に係る回路遮断器の実施例１を図１〜図９の添付図面に基づいて説明する。
【００１０】
回路遮断器１は、遮断器ケース２の上面に電路を開閉する操作ハンドル３が設けられ、遮断器ケース２の長手方向の一方面に電源側端子４が設けられ、遮断器ケース２の長手方向の他方面に負荷側端子５が設けられている。回路遮断器１は単相３線式分電盤６の分岐ブレーカとして用いられ、電源側端子４と負荷側端子５は２つの電圧極と１つの中性極の電路を構成するために夫々３極ずつ設けられている。負荷側端子５は被覆を剥いだ電線を遮断器ケース２の電線接続孔７に差し込むだけで接続できる速結端子５であり、速結端子５は電線接続孔７が上下１列に設けられている。尚、３極の速結端子５のうち、２極の速結端子５に電線を接続して使用するために遮断器ケース２にはスライドカバー８が設けられ、電線接続孔７は何れか１極が塞がれるようになっている。
【００１１】
また、速結端子５に接続された電線を解除するために遮断器ケース２の上面端部に解除レバー９が遮断器ケース２から水平状態に突出して軸支されている。解除レバー９は電線接続時に正面となる操作ハンドル３を有する遮断器ケース２の上面方向から電線接続孔７が見えるように電線接続孔７を有する面の幅方向端縁と電線接続孔７の端縁間の寸法に幅寸法が形成され、上面が遮断器ケース２の上面と平行に形成され、下面は上面に対して鋭角をなすように形成されている。解除レバー９は上方に回動操作することで速結端子５の係合が解除する構造になっている。
【００１２】
そして、回路遮断器１に接続された電線を解除する場合は小さな力で解除レバー９を操作できるように補助部材１０を取り付けて操作を行う。補助部材１０は解除レバー９に差し込まれる差込穴１０ａを有する取付部１０ｂと、取付部１０ｂに一体に形成されたツマミ部１０ｃと、回路遮断器１を取り付けるための分電盤６の取付パネル１１に未使用時に保持させておくための係止部１０ｄとで形成している。また、解除レバー９は側面に解除レバー９の上面と平行な凹溝９ａが形成され、補助部材１０の差込穴１０ａには凹溝９ａに対向して凸条１０ｅが形成されている。さらに補助部材１０は解除レバー９と差込穴１０ａの位置合わせがしやすいように位置合わせマーク１０ｆが設けられている。位置合わせマーク１０ｆは差込穴１０ａの差込方向と一致するようにツマミ部１０ｃに形成された溝１０ｆａと、ツマミ部１０ｃの先端に溝１０ｆａに連続して形成された切欠１０ｆｂで成っている。また、係止部１０ｄは取付パネル１１に形成された矩形孔１１ａの長手方向の一辺に係止するＬ字状の係止爪１０ｇと、矩形孔１１ａの長手方向の他辺に係止する係止突起１０ｈとで成り、係止突起１０ｈは弾性変形可能に形成された係止片１０ｉに形成されている。
【００１３】
こうして形成された補助部材１０を解除レバー９に取り付けるには、補助部材１０の位置合わせマーク１０ｆを解除レバー９に合わせ、補助部材１０を解除レバー９に押し込むことで解除レバー９が補助部材１０の差込穴１０ａに差し込まれて取り付けできる。そして、補助部材１０を持ち上げて上方に回動操作することで解除レバー９を操作する。このとき、解除レバー９の凹溝９ａに補助部材１０の凸条１０ｅが係合しているので操作途中に補助部材１０が解除レバー９から簡単に外れることはない。
【００１４】
また、補助部材１０を使用しないときは回路遮断器１が取り付けられる取付パネル１１に保持させておく。取付パネル１１への取り付けは、係止部１０ｄの係止爪１０ｇを取付パネル１１の矩形孔１１ａの長手方向の一辺に係止させた後、係止片１０ｉを取付パネル１１に押し当てて係止片１０ｉの係止突起１０ｈを矩形孔１１ａの長手方向の他辺に係止させることで取り付けできる。
【符号の説明】
【００１５】
１    回路遮断器
５    負荷側端子（速結端子）
９    解除レバー
９ａ    凹溝
１０    補助部材
１０ａ    差込穴
１０ｂ    取付部
１０ｃ    ツマミ部
１０ｄ    係止部
１０ｅ    凸条
１０ｆ    位置合わせマーク
１０ｆａ    溝
１０ｆｂ    切欠
１０ｇ  係止爪
１０ｈ    係止突起
１０ｉ    係止片
１１    取付パネル
１１ａ    矩形孔
【図１】
0005489347.tif 000002
【図２】
0005489347.tif 000003
【図３】
0005489347.tif 000004
【図４】
0005489347.tif 000005
【図５】
0005489347.tif 000006
【図６】
0005489347.tif 000007
【図７】
0005489347.tif 000008
【図８】
0005489347.tif 000009
【図９】
0005489347.tif 000010